(57)【特許請求の範囲】
【請求項１】
軸本体内にシャープペンシルユニットを有し、前記シャープペンシルユニットの後端に前端が連結され、前記軸本体に設けられたスリット内部の摺動溝に沿って、前記軸本体の中心軸線方向にスライド自在に摺動突起が係合すると共に、前記軸本体の外周面から露出するスライダーと、該スライダーの前進位置の際にシャープペンシルユニットを前記軸本体から突出させ、一方、スライダーの後退位置の際に前記シャープペンシルユニットを前記軸本体内に没入させるようにした筆記具において、前記軸本体に設けられたスリット内部の摺動溝は、略一直線上に形成されていると共に、前記スライダーは、前記スライダーの前進位置の際に前記スライダーの突部の基部が前記スリット内に入り込むと共に、後軸外面またはスリットと摺動溝により形成されるスライド面と当接することで前記軸本体の軸芯方向への移動を規制する突部が、前記摺動突起よりも外径側に形成されている筆記具。
【請求項２】
軸本体内に筆記体を有し、前記筆記体の後端に前端が連結され、前記軸本体に設けられた摺動溝に沿って、前記軸本体の中心軸線方向にスライド自在に摺動突起が係合すると共に、前記軸本体の外周面から露出するスライダーと、該スライダーの前進位置の際に筆記体を前記軸本体から突出させ、一方、スライダーの後退位置の際に前記筆記体を前記軸本体内に没入させるようにした筆記具において、前記軸本体に設けられた摺動溝は、略一直線上に形成されていると共に、前記スライダーの後方端面に前記スライダーの前進位置の際に他のスライダーの解除突起に当接することで前記軸本体の軸芯方向への移動を規制する突部が形成されている筆記具。
【請求項３】
軸本体内に筆記体を有し、前記筆記体の後端に前端が連結され、前記軸本体に設けられた摺動溝に沿って、前記軸本体の中心軸線方向にスライド自在に摺動突起が係合すると共に、前記軸本体の外周面から露出するスライダーと、該スライダーの前進位置の際に筆記体を前記軸本体から突出させ、一方、スライダーの後退位置の際に前記筆記体を前記軸本体内に没入させるようにした筆記具において、前記軸本体に設けられた摺動溝は、略一直線上に形成されていると共に、前記スライダーの側面に略溝状のガイドレールが形成され、前記軸本体には、前記スライダーの前進位置の際に前記ガイドレール内に入り込んでそのガイドレール内を摺動する内面突部が突出して形成されている筆記具。
【請求項４】
軸本体内に筆記体を有し、前記筆記体の後端に前端が連結され、前記軸本体に設けられた摺動溝に沿って、前記軸本体の中心軸線方向にスライド自在に摺動突起が係合すると共に、前記軸本体の外周面から露出するスライダーと、該スライダーの前進位置の際に筆記体を前記軸本体から突出させ、一方、スライダーの後退位置の際に前記筆記体を前記軸本体内に没入させるようにした筆記具において、前記軸本体に設けられた摺動溝は、略一直線上に形成されていると共に、摺動溝の側面に略溝状のガイドレールが形成され、前記スライダーの側面には、前記スライダーの前進位置の際に前記ガイドレール内に入り込んでそのガイドレール内を摺動する凸部が突出して形成されている筆記具。
【発明の詳細な説明】
【技術分野】
【０００１】
本発明は、軸本体内に筆記体を有し、該筆記体は弾撥部材により後方に付勢されるが、筆記体の後端に取り付けられているスライダーを前進せしめ、該スライダーを軸本体に係合させることにより、前記筆記体を軸本体から突出させるよう成した筆記具に関する。前記筆記体の一例としては、ボールペンリフィルやシャープペンシルユニット、スタイラスペンなどが挙げられる。
【背景技術】
【０００２】
この種の筆記具の１例として、任意のスライダー（押子）を押し下げることによって、所望の筆記体の先端を軸筒の先端から突出させることができ、他のスライダーを軽く押し下げることによって、軸筒内に筆記体の先端をバネ力により素早く格納することができ、スライダーの両側面には、長手方向に延在する左右一対のスライド片が設けられ、各スライド片は、軸筒の内部に設けられた凹状のガイドレール内を摺動するように構成し、このスライド片とガイドレールとの協働によって、スライダーを前後方向に確実にスライドさせることができる筆記具がある。
【０００３】
この筆記具は押子を後退位置から前進位置へスライドさせると、開閉操作機能付クリップは、前進位置において軸筒求心方向へ移動することで、押子（スライダー）を軸筒内に係止させ、この係止状態により、筆記体を軸筒から突出させた前進位置が維持される。そして、この前進位置において、開閉操作機能付クリップがノック操作されると、シャープペンシルユニットが、軸筒内に係合されることで鉛芯を繰り出す。該押子が前進位置で係止された際は、該押子の側面と軸筒とが突部によって近接又は接触した状態となっている。
又、この筆記具は特定のスライダーに開閉操作機能付クリップを一体に設けている。
【先行技術文献】
【特許文献】
【０００４】
【特許文献１】特開２００５−１１１８７６号公報。
【発明の概要】
【発明が解決しようとする課題】
【０００５】
しかしながら、特開２００５−１１１８７６号公報に記載された従来技術では、開閉操作機能付クリップの押子（スライダー）又は他の押子（スライダー）を係合させるための係止部１２が形成されている。この係止部１２は、押子前進位置にて軸筒軸心方向へ沈み込んだ際、この押子の後端部を係止させるように、軸筒の内周面に段部状に形成されている。そして、この係止部１２は、押子毎に、各押子の後端部の両側面側に対して係止するように、二つ配設されている。又、前記各係止部１２の前方側には、係止部１２に係止された際の押子の側面に近接又は接触するように、突部が形成されている。
つまり、上記構成では、押子が前後移動するため、軸筒側には、押子が後退位置にある時のスライド面と、前進位置にて軸筒軸芯方向に沈み込んだ際、係止部１２の前方側に、係止部１２に係止された際の押子の側面に近接又は接触するように、突部が形成されたスライド面があり、この２つの階段状に設けられたスライド面を有している。その結果、軸筒の外径は太くなってしまうため、見栄えや携帯性が悪いものとなってしまっている。
【０００６】
更に、軸筒外周面に設けられたガイド壁が、開閉機能付クリップのスライド中のガタつきを防止する機能と、開閉操作機能付クリップのスライド中の開放動作を規制する機能を兼ね備えているにもかかわらず、全述の通り開閉機能付クリップ押子は、軸筒の係止部１２の前方側に形成された突部と側面とが近接又は接触するように構成されているので、非常に細かい寸法管理が必要になる。又、押子に開閉機能付クリップを一体に設けていることから、開閉機能付クリップと軸筒との接触面積が大きく、後退位置から前進位置へのスライド中の抵抗感及び、前進位置でのシャープペンシル用リフィルが鉛芯を繰り出すノック操作においても抵抗感があり、操作性に難がある。
【課題を解決するための手段】
【０００７】
本発明は、軸本体内にシャープペンシルユニットを有し、前記シャープペンシルユニットの後端に前端が連結され、前記軸本体に設けられたスリット内部の摺動溝に沿って、前記軸本体の中心軸線方向にスライド自在に摺動突起が係合すると共に、前記軸本体の外周面から露出するスライダーと、該スライダーの前進位置の際にシャープペンシルユニットを前記軸本体から突出させ、一方、スライダーの後退位置の際に前記シャープペンシルユニットを前記軸本体内に没入させるようにした筆記具において、前記軸本体に設けられたスリット内部の摺動溝は、略一直線上に形成されていると共に、前記スライダーは、前記スライダーの前進位置の際に前記スライダーの突部の基部が前記スリット内に入り込むと共に、後軸外面またはスリットと摺動溝により形成されるスライド面と当接することで前記軸本体の軸芯方向への移動を規制する突部が、前記摺動突起よりも外径側に形成されていることを第１の要旨とし、軸本体内に筆記体を有し、前記筆記体の後端に前端が連結され、前記軸本体に設けられた摺動溝に沿って、前記軸本体の中心軸線方向にスライド自在に摺動突起が係合すると共に、前記軸本体の外周面から露出するスライダーと、該スライダーの前進位置の際に筆記体を前記軸本体から突出させ、一方、スライダーの後退位置の際に前記筆記体を前記軸本体内に没入させるようにした筆記具において、前記軸本体に設けられた摺動溝は、略一直線上に形成されていると共に、前記スライダーの後方端面に前記スライダーの前進位置の際に他のスライダーの解除突起に当接することで前記軸本体の軸芯方向への移動を規制する突部が形成されていることを第２の要旨とし、軸本体内に筆記体を有し、前記筆記体の後端に前端が連結され、前記軸本体に設けられた摺動溝に沿って、前記軸本体の中心軸線方向にスライド自在に摺動突起が係合すると共に、前記軸本体の外周面から露出するスライダーと、該スライダーの前進位置の際に筆記体を前記軸本体から突出させ、一方、スライダーの後退位置の際に前記筆記体を前記軸本体内に没入させるようにした筆記具において、前記軸本体に設けられた摺動溝は、略一直線上に形成されていると共に、前記スライダーの側面に略溝状のガイドレールが形成され、前記軸本体には、前記スライダーの前進位置の際に前記ガイドレール内に入り込んでそのガイドレール内を摺動する内面突部が突出して形成されていることを第３の要旨とし、軸本体内に筆記体を有し、前記筆記体の後端に前端が連結され、前記軸本体に設けられた摺動溝に沿って、前記軸本体の中心軸線方向にスライド自在に摺動突起が係合すると共に、前記軸本体の外周面から露出するスライダーと、該スライダーの前進位置の際に筆記体を前記軸本体から突出させ、一方、スライダーの後退位置の際に前記筆記体を前記軸本体内に没入させるようにした筆記具において、前記軸本体に設けられた摺動溝は、略一直線上に形成されていると共に、摺動溝の側面に略溝状のガイドレールが形成され、前記スライダーの側面には、前記スライダーの前進位置の際に前記ガイドレール内に入り込んでそのガイドレール内を摺動する凸部が突出して形成されていることを第４の要旨とする。
【発明の効果】
【０００８】
本発明は、軸本体内にシャープペンシルユニットを有し、前記シャープペンシルユニットの後端に前端が連結され、前記軸本体に設けられたスリット内部の摺動溝に沿って、前記軸本体の中心軸線方向にスライド自在に摺動突起が係合すると共に、前記軸本体の外周面から露出するスライダーと、該スライダーの前進位置の際にシャープペンシルユニットを前記軸本体から突出させ、一方、スライダーの後退位置の際に前記シャープペンシルユニットを前記軸本体内に没入させるようにした筆記具において、前記軸本体に設けられたスリット内部の摺動溝は、略一直線上に形成されていると共に、前記スライダーは、前記スライダーの前進位置の際に前記スライダーの突部の基部が前記スリット内に入り込むと共に、後軸外面またはスリットと摺動溝により形成されるスライド面と当接することで前記軸本体の軸芯方向への移動を規制する突部が、前記摺動突起よりも外径側に形成されていることを第１の要旨とし、軸本体内に筆記体を有し、前記筆記体の後端に前端が連結され、前記軸本体に設けられた摺動溝に沿って、前記軸本体の中心軸線方向にスライド自在に摺動突起が係合すると共に、前記軸本体の外周面から露出するスライダーと、該スライダーの前進位置の際に筆記体を前記軸本体から突出させ、一方、スライダーの後退位置の際に前記筆記体を前記軸本体内に没入させるようにした筆記具において、前記軸本体に設けられた摺動溝は、略一直線上に形成されていると共に、前記スライダーの後方端面に前記スライダーの前進位置の際に他のスライダーの解除突起に当接することで前記軸本体の軸芯方向への移動を規制する突部が形成されていることを第２の要旨とし、軸本体内に筆記体を有し、前記筆記体の後端に前端が連結され、前記軸本体に設けられた摺動溝に沿って、前記軸本体の中心軸線方向にスライド自在に摺動突起が係合すると共に、前記軸本体の外周面から露出するスライダーと、該スライダーの前進位置の際に筆記体を前記軸本体から突出させ、一方、スライダーの後退位置の際に前記筆記体を前記軸本体内に没入させるようにした筆記具において、前記軸本体に設けられた摺動溝は、略一直線上に形成されていると共に、前記スライダーの側面に略溝状のガイドレールが形成され、前記軸本体には、前記スライダーの前進位置の際に前記ガイドレール内に入り込んでそのガイドレール内を摺動する内面突部が突出して形成されていることを第３の要旨とし、軸本体内に筆記体を有し、前記筆記体の後端に前端が連結され、前記軸本体に設けられた摺動溝に沿って、前記軸本体の中心軸線方向にスライド自在に摺動突起が係合すると共に、前記軸本体の外周面から露出するスライダーと、該スライダーの前進位置の際に筆記体を前記軸本体から突出させ、一方、スライダーの後退位置の際に前記筆記体を前記軸本体内に没入させるようにした筆記具において、前記軸本体に設けられた摺動溝は、略一直線上に形成されていると共に、摺動溝の側面に略溝状のガイドレールが形成され、前記スライダーの側面には、前記スライダーの前進位置の際に前記ガイドレール内に入り込んでそのガイドレール内を摺動する凸部が突出して形成されていることを第４の要旨としているので、軸径を細くすることが可能になり、見栄えや携帯性が良く、スライダーの摺動抵抗が少ない操作性を具備し、操作の際、スライダーが後軸の軸芯方向に没入してしまうことを防止できる筆記具を提供することができる。
【図面の簡単な説明】
【０００９】
【図１】本発明の第１例を示す外観正面図。
【図２】図１の側面図。
【図３】図２の縦断面図。
【図４】シャープペンシルユニットの縦断面図。
【図５】図１の上面図。
【図６】図１のＷ−Ｗ線断面図。
【図７】図１のＸ−Ｘ線断面図。
【図８】図１のＹ−Ｙ線断面図。
【図９】図５のＺ−Ｚ線断面図。
【図１０】ボールペンリフィルと接続部材とスライダーとの連結状態を示す外観斜視図。
【図１１】図１０における分解要部拡大図。
【図１２】スライダーの正面図。
【図１３】接続部材の外観斜視図。
【図１４】接続部材の正面図。
【図１５】図１４の側面図。
【図１６】シャープペンシルユニットと接続部材とスライダーとの連結状態を示す外観斜視図。
【図１７】図１６における分解要部拡大図。
【図１８】図１０、図１６のＡ−Ａ線断面図。
【図１９】図１０、図１６のＢ−Ｂ線断面図。
【図２０】接続部材とスライダーを一体にした場合を示す外観図。              （ａ）正面図              （ｂ）側面図              （ｃ）外観斜視図
【図２１】接続部材とスライダーを一体にした場合の外観斜視図。
【図２２】接続部材と筆記体の接続状態を示す外観斜視図。
【図２３】第１例を示す外観斜視図。              （ａ）スライダー後退位置              （ｂ）スライダー前進位置
【図２４】図２３（ｂ）の縦断面図。
【図２５】第２例を示すスライダーの外観斜視図。
【図２６】第２例を示す外観斜視図。              （ａ）スライダー後退位置              （ｂ）スライダー前進位置
【図２７】第３例を示すスライダーの外観斜視図。
【図２８】第３例を示すスライダー前進状態の外観斜視図
【図２９】第３例を示す縦断面図。              （ａ）スライダー後退位置              （ｂ）スライダー前進位置
【図３０】第４例を示すスライダーの外観斜視図。
【図３１】第４例を示す外観斜視図。              （ａ）スライダー後退位置              （ｂ）スライダー前進位置
【図３２】図３１（ａ）の縦断面図
【図３３】第５例を示すスライダーの外観斜視図。              （ａ）右方向外観斜視図。              （ｂ）左方向外観斜視図。
【図３４】第５例を示す外観斜視図。              （ａ）スライダー後退位置              （ｂ）スライダー前進位置
【図３５】第６例を示すスライダーの外観斜視図。
【図３６】第６例を示す外観斜視図。              （ａ）スライダー後退位置              （ｂ）スライダー前進位置
【発明を実施するための形態】
【００１０】
作用について説明する。スライダーの摺動突起が係合する軸本体に設けられた摺動溝は、略一直線状だけ形成されているので、軸本体の外径が太くならず、携帯性が良くなる。
（実施例１）
第１例を図１〜図１９に示し説明する。尚、図中下方を前方と言い、上方を後方と言う。例として黒色と赤色の２色からなるボールペンリフィル、及びシャープペンシルユニットが摺動自在に配置されている多芯筆記具である。参照符号１は、軸本体であり、その軸本体１は、前軸２と後軸３とより構成されている。また、本例において、前軸２は、先部材４と中軸５の螺合構造により構成されているが、凸凹嵌合で圧入されていても良いし、一体的に形成されていても良い。しかし、後述する筆記体の交換や成形の容易性を考慮すると２部材とし、着脱自在に固定した方が良い。また、前記先部材４の内径部には、先端側へ向かって徐々に径が小さくなる円錐部４ａが形成されている。そして、その先部材４の先端には、筆記体が出没する突出孔４ｂが形成されている。
【００１１】
前記後軸３には、その長手方向に３個のスリット６が形成されている。本例においては、３個のスリット６が形成されているが、筆記体であるボールペンリフィルの数が２本と、シャープペンシルユニットの数が１本であるためであり、この筆記体の本数によってスリットの形成する数も変わるものである。また、スリット６は、後軸３の一方の端部まで形成されていると共に、スリット６の両側には、摺動溝７が形成されている。又、後軸３には、摺動溝７と長手方向に略同じ長さのスライド面３ａが形成されている。しかし、この摺動溝７、及びスライド面３ａは、スリット６の両側の全長に渡って形成されているのではなく、中間部までしか形成されていない。スライド面３ａは、後述する摺動突起１２の背面を受けている。
前記後軸３の前方には断面の形状が外側に円弧部を有する半月形をした脚部８が１２０゜間隔の位置に形成されている。この脚部８は、スリット６が形成されることにより形成される。よって、筆記体の数によって脚部８の数は変わる。その脚部８の外接円径は、後軸３の最大外径よりも小さく形成されている。
符号９は、後軸３に一体的に形成されたクリップ部であるが、別部材で構成し後軸３に固定などしても良い。符号１０は、前記クリップ部９の前方内面に形成された玉部であって、その玉部１０は前記中軸５の表面に当接している。
【００１２】
前記後軸３のスリット６には、透明、或いは、着色された半透明な材質からなるスライダー１１が摺動自在に配置されている。該スライダー１１は、ボールペンリフィル用のスライダー１１Ｂとシャープペンシルユニット用のスライダー１１Ｓがある。このスライダー１１Ｂ、１１Ｓの長手方向の両側には、摺動突起１２が形成されており、前記スリット６に形成された摺動溝７に摺動可能に係合している。このスライダー１１Ｂ、Ｓの背面には、間隔をおいて２つの解除突起１３、１４が形成されており、また、スライダー１１Ｂ、１１Ｓの前方の内側には、長手方向に孔１１ａが形成されている。その孔１１ａの正面方向から見て内面には、平面部１１ｂが形成されており、その平面部１１ｂに対応するスライダー１１Ｂ、１１Ｓの外面には円弧状の曲面部１１ｃが形成されている。これら内面に形成された平面部１１ｂと外面に形成された曲面部１１ｃとによって光の屈折が発生しレンズ効果が得られるようになっている。
なお、スライダー１１Ｓには、前記スリット６の幅より略大きい幅の略半球状のツバ部１１Ｓｄが形成されている。そのツバ部１１Ｓｄにより幅広になることで、シャープペンシルユニットの突出操作が向上すると共に、芯出し操作も容易に行え、また、その芯出し操作の際、スライダー１１Ｓが後軸３の軸芯方向に没入してしまうのを防止する。
そして、スライダー１１Ｂの孔１１ａには、後述する筆記体に収納されるインキの色と略同色な色を有した接続部材１５の一端部（後方部１５ａ）が着脱自在に挿着されており、その接続部材１５の他端部（前方部１５ｂ）には、ポリプロピレンやナイロンなどの樹脂材質からなる円筒状のボールペンリフィル１６Ｂが接続されている。一方、スライダー１１Ｓの孔１１ａには、シャープペンシルに使用する芯の色と略同色な色を有した、或いは、芯径を示す表示がなされた接続部材１５の一端部（後方部１５ａ）が着脱自在に挿着されており、その接続部材１５の他端部（前方部１５ｂ）には、ポリプロピレンやナイロンなどの樹脂材質、或いは金属材質からなる円筒状のシャープペンシルユニット１６Ｓの芯タンク１６１が接続されている。
【００１３】
尚、そのボールペンリフィル１６Ｂは、インキを収容するポリプロピレンなどの樹脂材質で押し出し成型によって形成されたインキ収容管１６Ｂａと、そのインキ収容管１６Ｂａの前方に圧入されたボールペンチップ１６Ｂｂなどから構成されている。又、シャープペンシルユニット１６Ｓは、芯を複数本収容しポリプロピレンなどの樹脂材質や金属材質で成形された芯タンク１６１と、その芯タンク１６１の前方に継ぎ手部材１６２を介して取り付けられた芯の把時・開放を行うチャック体１６３と、そのチャック体１６３の前方を囲繞すると共にチャック体１６３の開閉を行うチャックリング１６４、並びに、前記チャック体１６３覆うように配置されたガイド筒１６６、そして、そのガイド筒１６６と前記継ぎ手部材１６２との間に配置され、チャック体１６３や芯タンク１６１を後方に向けて付勢するコイルスプリングなどからなる弾撥部材１６６とから構成されている。また、前記ガイド筒１６５の先端には、先部材１６７が螺合などの手段によって着脱自在に取り付けらており、その先部材１６７の内方には、繰り出された芯の後方への移動を規制するゴム状弾性体からなる芯戻り止め部材１６８が内設している。
ここで、前記スライダー１１Ｂ、１１Ｓは、透明、或いは、着色された半透明な材質で形成されているため、その内部に位置する前記接続部材１５の色や表示を容易に識別することができる。これに加え、スライダー１１Ｂ、１１Ｓには平面部１１ｂと曲面部１１ｃが形成されているため、それによって得られるレンズ効果によって、前記接続部材１５の色をさらに容易に識別することができるようになる。
【００１４】
前記接続部材１５の中間部には、大径部１５ｃが形成されており、後方部１５ａの孔１１ａに対する過度な挿入と、前方部１５ｂの筆記体１６Ｂ、或いは１６Ｓに対する過度な挿入が防止されている。また、接続部材１５の後方部１５ａには、スライダー１１Ｂ、１１Ｓの孔１１ａに対する挿着・嵌合を良好なものとなすために円周状の嵌合突起１５ｄが形成される一方、前方部１５ｂには筆記体１６Ｂ、１１Ｓに空気が侵入するための平面部１５ｅが形成されている。その平面部１５ｅは、９０度の角度をもって４方に形成されている。即ち、接続部材１５の前方部１５ｂの横断面形状は、正方形状をなしている。また、４つの平面部１５ｅには、筆記体１６Ｂ、１６Ｓとの良好な係合・嵌合力を得るために突起１５ｆ、１５ｇが部分的に形成されているが、突起同士が重ならないようになっている。即ち、４つの平面部１５ｅに形成された各々の突起１５ｆは、長手方向、並びに、周方向に対して異なった位置に形成されている、具体的に説明すると、前方の対向した位置に形成された突起１５ｆと離隔して、後方にはその突起１５ｆと９０度の角度をもって突起１５ｇが対向して形成されている。前記インキの消費に伴うボールペンリフィル１６Ｂ、１１Ｓ内部への空気の侵入を確実なものとしていると共に、樹脂材質からなる筆記体１６Ｂａ、芯タンク１６１の塑性変形による接続部材１５からの脱落を防止している。つまり、前方に形成された突起１５ｆによってボールペンリフィル１６Ｂａ、芯タンク１６１が楕円状に膨出（膨出部１６Ｂｃ、芯タンクについては省力する。）すると共に、後方に形成された突起１５ｇによって、前記膨出部とは９０度の角度をもって該部分も膨出部１６Ｂｄが形成される。即ち、互いが９０度の方向で膨出する反面、その膨出した方向と９０度回転した方向は縮径させられるため、筆記体１６Ｂ、芯タンク１６１の内面が突起１５ｆ、１５ｇに食い込むようになり各々の係合部がより強固になるのである（図１８、図１９参照；図中点線１６Ｂｅは、本来の筆記体１６Ｂの内面形状である。）。
また、前記突起１５ｆや１５ｇは、その断面形状が矢型状をなしているが、前方に位置する突起１５ｆのボールペンリフィル１６への挿着側は、鈍角（α）に形成されており、一方、離脱側は鋭角（β）に形成されている。ちなみに、本例においては、挿入側を約１５０度に形成し、離脱側を７０度に形成している。
【００１５】
尚、前記スライダー１１Ｂ、１１Ｓの前端部には、後述する弾撥部材１７の外径部を保持する延出部１１ｄが形成されている。延出部１１ｄ間の長さは、弾撥部材１７外径よりも若干短く形成されており、これによって弾撥部材１７は延出部１１ｄに圧入された状態となっている。即ち、ボールペンリフィル１６Ｂ、シャープペンシルユニット１６Ｓを交換する際にも弾撥部材１７がスライダー１１Ｂ、１１Ｓの前端部から外れないようになっている。また、前記スライダー１１Ｂ、１１Ｓの接続部材１５（後方部１５ａ）に対する挿着力（嵌合力）は、ボールペンリフィル１６Ｂ、シャープペンシルユニット１６Ｓの接続部材１５（前方部１５ｂ）に対する挿着力（嵌合力）よりも弱く設定されている。即ち、筆記体１６Ｂ、１６Ｓをスライダー１１Ｂ、１１Ｓに対して離脱させようとすると、ボールペンリフィル１６Ｂと接続部材１５、シャープペンシルユニット１６Ｓと接続部材１５が連結された状態でスライダー１１Ｂ、１１Ｓから離脱する。
参照符号１７は、ボールペンリフィル１６Ｂ並びにボールペンリフィル１６に接続するスライダー１１Ｂ、或いは、シャープペンシルユニット１６Ｓ並びにシャープペンシルユニット１６Ｓに接続するスライダー１１Ｓを後方に付勢するコイルスプリングなどの弾撥部材である。
【００１６】
前記スライダー１１Ｂ、或いは１１Ｓと前記接続部材１５との関係は、スライダー１１Ｂ、或いは１１Ｓを接続部材１５に一体成形しても良い。以下、図２０〜図２２に示し、具体的に説明する。
図２０〜図２２は、ボールペン用スライダー１１Ｂにおいて、実施した具体例を図示したが、この構成をスライダー１１Ｓに適応させても良い。スライダーとしての機能を有する接続部材２１の後方側面には、摺動突起１２が形成されており、また、背面には解除突起１３、１４が形成されている。一方、接続部材２１の前方部２１ｂには、筆記体１６Ｂに空気が侵入するための平面部２１ｅが形成されている。その平面部２１ｅは、９０度の角度をもって４方に形成されている。即ち、接続部材２１の前方部２１ｂの横断面形状は、正方形状をなしている。また、４つの平面部２１ｅには、筆記体１６Ｂａとの良好な嵌合力を得るために突起２１ｆ、２１ｇが部分的に形成されているが、突起同士が重ならないようになっている。即ち、４つの平面部２１ｅに形成された各々の突起２１ｆは、長手方向、並びに、周方向に対して異なった位置に形成されている、具体的に説明すると、前方の対向した位置に形成された突起２１ｆと離隔して、後方にはその突起２１ｆと９０度の角度をもって突起２１ｇが対向して形成されている。より強固に筆記体１６Ｂａと接続部材２１を係合させるために、カシメても良い（図示せず）。
本例のように、接続部材にスライダー機能を持たせることによって、部品点数を削減でき、また、組み立てによる工数なども削減することができる。
【００１７】
次に、前記中軸５について、具体的に説明する。前記前軸２の１部材である中軸５の中間部には、規制部１８が形成されており、その規制部１８には、筆記体１６Ｂ、１６Ｓが遊挿する３つの貫通孔１９が形成されており、前記規制部１８に弾撥部材１７の一端を係止させることにより、筆記体１６Ｂ、１６Ｓを後方に付勢している。また、中軸５の内側で、規制部１８の後方には、長手方向に３つの溝部２０が形成されており、この溝部２０に前記後軸３の脚部８が摺接され、組み立て時に脚部８が案内されるようになっている。また、その溝部２０は、脚部８の断面形状とほぼ同形をなしている。即ち、外側に円弧部を有する半月形となっている。
【００１８】
次に動作について、図３、図２３、図２４に示し説明する。スライダー１１Ｓを前方（図２３中左斜め上方）に押圧すると、スライダー１１Ｓは、後軸３のスリット６並びに摺動溝７に案内されながら、シャープペンシルユニット１６Ｓを伴い前進し、シャープペンシルユニット１６Ｓの先端が軸本体１の先端より突出する（突出状態は図示せず）。同時に、スライダー１１Ｓが後軸３の内方である軸芯方向に押し込まれるが、ツバ部１１Ｓｄが、後軸３のスリット６の両側の外周面に当接し、スライダーＳの押し込みが規制される。次いで、スライダー１１Ｓの側面部に形成されている摺動突起１２の後端（図２４では上方）が、摺動溝７の前端部に係合し、シャープペンシルユニット１６Ｓの後退作用を阻止し、シャープペンシルユニット１６Ｓの前進位置が維持される。つまり、この摺動溝７をスリット６の中間部までしか形成しないことにより、スライダー１１Ｓの係合をも兼ねるようになっている。
シャープペンシルユニット１６Ｓの先端が前記軸本体１の先端より突出した前進位置において、スライダー１１Ｓのツバ部１１Ｓｄの上部１１Ｓｅを前方方向へ押圧操作すると、シャープペンシルユニット１６Ｓの先部材１６７が、前記先部材４の内径部の先端側へ向かって徐々に径が小さくなる円錐部４ａに当接し、シャープペンシルユニット１６Ｓの前進移動が阻止される。ここで、さらに、スライダー１１Ｓを押圧操作すると、芯タンク１６１やチャック体１６３が弾撥部材１６６の弾発力に抗して前進し、これによって芯の繰り出しがなされる。
この芯繰り出し操作の過程で、スライダー１１Ｓのツバ部１１Ｓｄが後軸３の外周面を摺接している。よって、従来技術で示されているような、スライダー１１Ｓの摺動突起１２を受けるために、後軸３の摺動溝７の軸芯方向側に、更なる摺動溝やスライド面を設ける必要はない。
【００１９】
次に、シャープペンシルユニット１６Ｓを軸本体１に収納したい場合には、他のスライダー１１Ｂを押圧する。他のスライダー１１Ｂを押圧すると、互いのスライダー１１Ｓ、１１Ｂの背面に形成されている解除突起１３、１４が衝突する。この衝突作用により、押圧されている状態にあるスライダー１１Ｓが後軸３の外側方向に押圧される。そして、この押圧作用により、前記スライダー１１Ｓの摺動突起１２と摺動溝７との係合が解除され、その解除作用により突出している状態にあるシャープペンシルユニット１６Ｓが弾撥部材１７の作用により後退し軸本体１内に没入し、スライダー１１Ｓは元の後退位置まで戻ることになる。
【００２０】
（実施例２）
第２例を図２５、図２６に示し説明する。前記第１例のスライダー１１Ｓの変形例である。以下、具体的に説明する。スライダー１１Ｓの両側面には摺動突起１２が形成されており、また、背面には解除突起１３、１４が形成されている。さらに、スライダー１１Ｓの後方には、前記後軸３のスリット６の幅より略小さい長方形状の突片１１Ｓｆが形成されている。そして、その突片１１Ｓｆは、スライダー１１Ｓが後退位置である際、後軸３の外周面に露出した状態にある。
【００２１】
次に動作について、図２６に示し説明する。スライダー１１Ｓを前方（図２６中左斜め上方）に押圧すると、スライダー１１Ｓは、後軸３のスリット６並びに摺動溝７に案内されながら、シャープペンシルユニット１６Ｓを伴い前進し、シャープペンシルユニット１６Ｓの先端が前記軸本体１の先端より突出する。同時に、スライダー１１Ｓが後軸３の内方である軸芯方向に押し込まれるが、後方に形成した突片１１Ｓｆが、後軸３のスライド面３ａに当接し、押し込みが規制される。次いで、スライダー１１Ｓの側面部に形成されている摺動突起１２の後端が、摺動溝７の前端部に係合し、シャープペンシルユニット１６Ｓの後退作用を阻止し、シャープペンシルユニット１６Ｓの前進位置が維持される。つまり、この摺動溝７をスリット６の中間部までしか形成しないことにより、スライダー１１Ｓの係合をも兼ねるようになっている（この係合状態に関しては、前記第１例と同様であるため図示せず。）。
シャープペンシルユニット１６Ｓの先端が前記軸本体１の先端より突出した前進位置において、スライダー１１Ｓのツバ部１１Ｓｄの上部１１Ｓｅを前方方向へ押圧操作すると、シャープペンシルユニット１６Ｓの先部材１６７が、前記先部材４の内径部の先端側へ向かって徐々に径が小さくなる円錐部４ａに当接し、シャープペンシルユニット１６Ｓの前進移動が阻止される。ここで、さらに、スライダー１１Ｓを押圧操作すると、芯タンク１６１やチャック体１６３が弾撥部材１６６の弾発力に抗して前進し、これによって芯の繰り出しがなされる。
この芯繰り出し操作の過程で、スライダー１１Ｓの突片１１Ｓｆが後軸３のスライド面３ａを摺接している。よって、従来技術で示されているような、スライダー１１Ｓの摺動突起１２や摺動突起１２の背面を受けるために、後軸３の前記摺動溝７の軸芯方向側（内方側）に、更なる摺動溝７やスライド面３ａを設ける必要はない。
尚、シャープペンシルユニット１６Ｓを軸本体１に収納したい場合には、前記第１例と同様である。
【００２２】
（実施例３）
第３例を図２７、図２８に示し説明する。前記第１例のスライダー１１Ｓの変形例である。以下、具体的に説明する。スライダー１１Ｓの両側面には摺動突起１２が形成されており、また、背面には解除突起１３、１４が形成されている。スライダー１１Ｓの後方端面には、スライダー１１Ｓの幅よりも狭い棒状の突部１１Ｓｈが形成されている。その突部１１Ｓｈは、スライダー１１Ｓが後退位置である際、後軸３の内部３ｂに収納されている。つまり、後軸３の外周面に露出しない。
【００２３】
次に動作について、図２８、図２９に示し説明する。スライダー１１Ｓを前方（図２８中右斜め上方）に押圧すると、スライダー１１Ｓは、後軸３のスリット６並びに摺動溝７に案内されながら、シャープペンシルユニット１６Ｓを伴い前進し、シャープペンシルユニット１６Ｓの先端が前記軸本体１の先端より突出する（突出状態は図示せず）。同時に、スライダー１１Ｓが後軸３の内方である軸芯方向に押し込まれるが、後方端面に形成した突部１１Ｓｈが、他のスライダー１１Ｂの解除突起１４に当接し、前記スライダー１１Ｓの押し込みが規制される。次いで、スライダー１１Ｓの側面部に形成されている摺動突起１２の後端が、摺動溝７の前端部に係合し、シャープペンシルユニット１６Ｓの後退作用を阻止し、シャープペンシルユニット１６Ｓの前進位置が維持される。つまり、この摺動溝７をスリット６の中間部までしか形成しないことにより、スライダー１１Ｓの係合をも兼ねるようになっている（この係合状態に関しては、前記第１例と同様であるため図示せず）。
シャープペンシルユニット１６Ｓの先端が前記軸本体１の先端より突出した前進位置において、スライダー１１Ｓの上部１１Ｓｉを前方方向へノック操作すると、シャープペンシルユニット１６Ｓの先部材１６７が、前記先部材４の内径部の、先端側へ向かって徐々に径が小さくなる円錐部４ａに当接し、シャープペンシルユニット１６Ｓの前進移動が阻止される。ここで、さらに、スライダー１１Ｓを押圧操作すると、芯タンク１６１やチャック体１６３が弾撥部材１６６の弾発力に抗して前進し、これによって芯の繰り出しがなされる。
この芯繰り出し操作の過程で、スライダー１１Ｓの突部１１Ｓｈが他のスライダー１１Ｂの解除突起１４上を摺接している。よって、従来技術で示されているような、スライダー１１Ｓの摺動突起１２や摺動突起１２の背面を受けるために、後軸３の前記摺動溝７の軸芯方向側（内方側）に、更なる摺動溝７やスライド面３ａを設ける必要はない。
尚、シャープペンシルユニット１６Ｓを軸本体１に収納したい場合には、前記第１例と同様である。
【００２４】
（実施例４）
第４例を図３０、図３１、図３２に示し説明する。前記第１例のスライダー１１Ｓの変形例である。以下、具体的に説明する。スライダー１１Ｓの両側面には摺動突起１２が形成されており、また、背面には解除突起１３、１４が形成されている。スライダー１１Ｓの後方の両側部には、略正方形状の突片１１Ｓｊが形成されている。その突片１１Ｓｊは、スライダー１１Ｓが後退位置である際、後軸３の内部３ｃに収納されている。つまり、後軸３の外周面に露出しない。
【００２５】
次に動作について、図３１に示し説明する。スライダー１１Ｓを前方（図３１中左斜め上方）に押圧すると、スライダー１１Ｓは、後軸３のスリット６並びに摺動溝７に案内されながら、シャープペンシルユニット１６Ｓを伴い前進し、シャープペンシルユニット１６Ｓの先端が前記軸本体１の先端より突出する（突出状態は図示せず）。同時に、スライダー１１Ｓが後軸３の内方である軸芯方向に押し込まれるが、後方部に形成した突片１１Ｓｊが、後軸３のスライド面３ａに当接し、前記スライダー１１Ｓの押し込みが規制される。次いで、スライダー１１Ｓの側面部に形成されている摺動突起１２の後端が、摺動溝７の前端部に係合し、シャープペンシルユニット１６Ｓの後退作用を阻止し、シャープペンシルユニット１６Ｓの前進位置が維持される。つまり、この摺動溝７をスリット６の中間部までしか形成しないことにより、スライダー１１Ｓの係合をも兼ねるようになっている（この係合状態に関しては、前記第１例と同様であるため図示せず）。
シャープペンシルユニット１６Ｓの先端が前記軸本体１の先端より突出した前進位置において、スライダー１１Ｓの上部１１Ｓｋを前方方向へノック操作すると、シャープペンシルユニット１６Ｓの先部材１６７が、前記先部材４の内径部の、先端側へ向かって徐々に径が小さくなる円錐部４ａに当接し、シャープペンシルユニット１６Ｓの前進移動が阻止される。ここで、さらに、スライダー１１Ｓを押圧操作すると、芯タンク１６１やチャック体１６３が弾撥部材１６６の弾発力に抗して前進し、これによって芯の繰り出しがなされる。この芯繰り出し操作の過程で、スライダー１１Ｓの突片１１Ｓｊが、後軸３のスライド面３ａ上を摺接している。よって、従来技術で示されているような、スライダー１１Ｓの摺動突起１２や摺動突起１２の背面を受けるために、後軸３の前記摺動溝７の軸芯方向側（内方側）に、更なる摺動溝７やスライド面３ａを設ける必要はない。
尚、シャープペンシルユニット１６Ｓを軸本体１に収納したい場合には、前記第１例と同様である。
【００２６】
（実施例５）
第５例を図３３、図３４に示し説明する。前記第１例のスライダー１１Ｓと後軸３の変形例である。以下、具体的に説明する。スライダー１１Ｓの両側面には摺動突起１２が形成されており、また、背面には解除突起１３、１４が形成されている。スライダー１１Ｓが後軸３のスリット６から露出する部分の両側面には少なくとも１つの切り欠き溝１１Ｓｌが形成されている（図３３、図３４では、切り欠き溝１１Ｓｌは２つある場合を図示している。）。その切り欠き溝１１Ｓｌの溝幅は、後述する後軸３の内面突部３ｄの厚みより略大きく設けられている。
一方、後軸３のスリット６の両側には、内面突部３ｄが設けられている。その内面突部３ｄは、中軸５側に設けられている。また、内面突部３ｄの厚みは、前記切り欠き溝１１Ｓｌより略小さくなっている。よって、その内面突部３ｄは、前記切り欠き溝１１Ｓｌに嵌って、摺動することが可能になっている。
【００２７】
次に動作について、図３４に示し説明する。スライダー１１Ｓを前方（図３４中左斜め上方）に押圧すると、スライダー１１Ｓは、後軸３のスリット６並びに摺動溝７に案内されながら、シャープペンシルユニット１６Ｓを伴い前進し、シャープペンシルユニット１６Ｓの先端が前記軸本体１の先端より突出する（突出状態は図示せず）。同時に、スライダー１１Ｓが後軸３の内方である軸芯方向に押し込まれるが、前記切り欠き溝１１Ｓｌは、後軸３の凸部３ｄに嵌り、その結果、前記スライダー１１Ｓの押し込みが規制される。次いで、スライダー１１Ｓの側面部に形成されている摺動突起１２の後端が、摺動溝７の前端部に係合し、シャープペンシルユニット１６Ｓの後退作用を阻止し、シャープペンシルユニット１６Ｓの前進位置が維持される。つまり、この摺動溝７をスリット６の中間部までしか形成しないことにより、スライダー１１Ｓの係合をも兼ねるようになっている（この係合状態に関しては、前記第１例と同様であるため図示せず）。
シャープペンシルユニット１６Ｓの先端が前記軸本体１の先端より突出した前進位置において、スライダー１１Ｓの上部１１Ｓｍを前方方向へノック操作すると、シャープペンシルユニット１６Ｓの先部材１６７が、前記先部材４の内径部の、先端側へ向かって徐々に径が小さくなる円錐部４ａに当接し、シャープペンシルユニット１６Ｓの前進移動が阻止される。ここで、さらに、スライダー１１Ｓを押圧操作すると、芯タンク１６１やチャック体１６３が弾撥部材１６６の弾発力に抗して前進し、これによって芯の繰り出しがなされる。この芯繰り出し操作の過程で、スライダー１１Ｓの切り欠き溝１１Ｓｌが、後軸３の内面突部３ｄに嵌って摺動している。よって、従来技術で示されているような、スライダー１１Ｓの摺動突起１２や摺動突起１２の背面を受けるために、後軸３の前記摺動溝７の軸芯方向側（内方側）に、更なる摺動溝７やスライド面３ａを設ける必要はない。
尚、シャープペンシルユニット１６Ｓを軸本体１に収納したい場合には、前記第１例と同様である。
【００２８】
（実施例６）
第６例を図３５、図３６に示し説明する。前記第１例のスライダー１１Ｓと後軸３の変形例である。以下、具体的に説明する。スライダー１１Ｓの両側面には摺動突起１２が形成されており、また、背面には解除突起１３、１４が形成されている。スライダー１１Ｓが後軸３のスリット６から露出する部分の両側面には少なくとも１つの凸部１１Ｓｎが形成されている。該凸部１１Ｓｎの形状は、図３５では円柱状を図示したが、多角形状でも構わない（図３５、図３６では、凸部１１Ｓｎは２つある場合を図示している。）。その凸部１１Ｓｎの外径は、後述する後軸３の溝部３ｅの溝幅より略小さく設けられている。
一方、後軸３のスリット６の両側には、溝部３ｅが設けられている。その溝部３ｅは、中軸５側に設けられている。また、溝部３ｅの溝幅は、前記凸部１１Ｓｎより略大きくなっている。よって、該凸部１１Ｓｎは、前記溝部３ｅに嵌って、摺動することが可能になっている。
【００２９】
次に動作について、図３５、図３６に示し説明する。スライダー１１Ｓを前方（図３６中右斜め下方）に押圧すると、スライダー１１Ｓは、後軸３のスリット６並びに摺動溝７に案内されながら、シャープペンシルユニット１６Ｓを伴い前進し、シャープペンシルユニット１６Ｓの先端が前記軸本体１の先端より突出する（突出状態は図示せず）。同時に、スライダー１１Ｓが後軸３の内方である軸芯方向に押し込まれるが、前記凸部１１Ｓｎは、後軸３の溝部３ｅに嵌り、その結果、前記スライダー１１Ｓの押し込みが規制される。次いで、スライダー１１Ｓの側面部に形成されている摺動突起１２の後端が、摺動溝７の前端部に係合し、シャープペンシルユニット１６Ｓの後退作用を阻止し、シャープペンシルユニット１６Ｓの前進位置が維持される。つまり、この摺動溝７をスリット６の中間部までしか形成しないことにより、スライダー１１Ｓの係合をも兼ねるようになっている（この係合状態に関しては、前記第１例と同様であるため図示せず）。
シャープペンシルユニット１６Ｓの先端が前記軸本体１の先端より突出した前進位置において、スライダー１１Ｓの上部１１Ｓｏを前方方向へノック操作すると、シャープペンシルユニット１６Ｓの先部材１６７が、前記先部材４の内径部の、先端側へ向かって徐々に径が小さくなる円錐部４ａに当接し、シャープペンシルユニット１６Ｓの前進移動が阻止される。ここで、さらに、スライダー１１Ｓを押圧操作すると、芯タンク１６１やチャック体１６３が弾撥部材１６６の弾発力に抗して前進し、これによって芯の繰り出しがなされる。この鉛芯繰り出し操作の過程で、ノック操作中は、スライダー１１Ｓの凸部１１Ｓｎが、後軸３の溝部３ｅに嵌って、ノック操作中は摺動している。よって、従来技術で示されているような、スライダー１１Ｓの摺動突起１２や摺動突起１２の背面を受けるために、後軸３の前記摺動溝７の軸芯方向側（内方側）に、更なる摺動溝７やスライド面３ａを設ける必要はない。
尚、シャープペンシルユニット１６Ｓを軸本体１に収納したい場合には、前記第１例と同様である。
【符号の説明】
【００３０】
１      軸本体
２      前軸
３      後軸
３ａ    スライド面
３ｂ    内部
３ｃ    内部
３ｄ    内面突部
３ｅ    溝部
４      先部材
４ａ    円錐部
４ｂ    突出孔
５      中軸
６      スリット
７      摺動溝
８      脚部
９      クリップ部
１０      玉部
１１      スライダー
１１ａ    孔
１１ｂ    平面部
１１ｃ    円弧状の曲面部
１１Ｂ    ボールペンリフィル用のスライダー
１１Ｓ    シャープペンシルユニット用のスライダー
１１Ｓｄ  ツバ部
１１Ｓｅ  上部
１１ａ    孔
１１ｂ    平面部
１１ｃ    円弧状の曲面部
１１ｄ    延出部
１１Ｓｆ  突片
１１Ｓｇ  上部
１１Ｓｈ  突部
１１Ｓｉ  上部
１１Ｓｊ  突片
１１Ｓｋ  上部
１１Ｓｌ  切り欠き溝
１１Ｓｍ  上部
１１Ｓｎ  突部
１１Ｓｏ  上部
１２      摺動突起
１３      解除突起
１４      解除突起
１５      接続部材
１５ａ    後方部
１５ｂ    前方部
１５ｃ    大径部
１５ｄ    嵌合突起
１５ｅ    平面部
１５ｆ    突起
１５ｇ    突起
１６Ｂ    ボールペンリフィル
１６Ｂａ  インキ収容管
１６Ｂｂ  ボールペンチップ
１６Ｂｃ  膨出部
１６Ｂｄ  膨出部
１６Ｂｅ  内面形状
１６Ｓ    シャープペンシルユニット
１６１    芯タンク
１６２    継ぎ手部材
１６３    チャック体
１６４    チャックリング
１６５    ガイド筒
１６６    弾発部材
１６７    先部材
１６８    芯戻り止め部材
１７      弾撥部材
１８      規制部
１９      貫通孔
２０      溝部
２１      接続部材
２１ｂ    前方部
２１ｅ    平面部
２１ｆ    突起
２１ｇ    突起
【図１】
0005593646.tif 000002
【図２】
0005593646.tif 000003
【図３】
0005593646.tif 000004
【図４】
0005593646.tif 000005
【図５】
0005593646.tif 000006
【図６】
0005593646.tif 000007
【図７】
0005593646.tif 000008
【図８】
0005593646.tif 000009
【図９】
0005593646.tif 000010
【図１０】
0005593646.tif 000011
【図１１】
0005593646.tif 000012
【図１２】
0005593646.tif 000013
【図１３】
0005593646.tif 000014
【図１４】
0005593646.tif 000015
【図１５】
0005593646.tif 000016
【図１６】
0005593646.tif 000017
【図１７】
0005593646.tif 000018
【図１８】
0005593646.tif 000019
【図１９】
0005593646.tif 000020
【図２０】
0005593646.tif 000021
【図２１】
0005593646.tif 000022
【図２２】
0005593646.tif 000023
【図２３】
0005593646.tif 000024
【図２４】
0005593646.tif 000025
【図２５】
0005593646.tif 000026
【図２６】
0005593646.tif 000027
【図２７】
0005593646.tif 000028
【図２８】
0005593646.tif 000029
【図２９】
0005593646.tif 000030
【図３０】
0005593646.tif 000031
【図３１】
0005593646.tif 000032
【図３２】
0005593646.tif 000033
【図３３】
0005593646.tif 000034
【図３４】
0005593646.tif 000035
【図３５】
0005593646.tif 000036
【図３６】
0005593646.tif 000037